(57)【要約】【課題】主要なオブジェクトがアルバムの折り目と重なっていた場合に、ページに対する主要なオブジェクトの位置を自動的に移動させて、アルバムを作成する。【解決手段】本発明に係るアルバム作成装置は、画像格納部と、複数の画像を、アルバムにおける見開きページごとに分類する画像分類部と、画像分類部が分類した画像を、アルバムの見開きページのそれぞれにレイアウトする画像レイアウト部と、見開きページのページ境界線の位置を格納する境界位置格納部と、画像レイアウト部がレイアウトした画像における主要なオブジェクトが、ページ境界線に重なっているか否かを判断する境界判断部と、主要なオブジェクトがページ境界線に重ならないように、主要なオブジェクトの位置を移動させる主要オブジェクト移動部とを備える。【選択図】図２
2007012030.tif 000002
【特許請求の範囲】
【請求項１】
複数の画像をアルバムのページのそれぞれにレイアウトする画像レイアウト部と、
折り目を含むページである折り目ページにおけるページの折り目の位置を格納する境界位置格納部と、
前記画像レイアウト部が折り目ページにレイアウトした画像における主要なオブジェクトが、前記境界位置格納部が格納しているページの折り目の位置に重なっているか否かを判断する境界判断部と、
前記境界判断部がページの折り目に主要なオブジェクトが重なっていると判断した場合に、主要なオブジェクトがページの折り目に重ならないように、折り目ページに対する主要なオブジェクトの位置を移動させる主要オブジェクト移動部と
を備えるアルバム作成装置。
【請求項２】
複数の画像を折り目ページである見開きページごとに分類する画像分類部
をさらに備え、
前記画像レイアウト部は、前記画像分類部が見開きページごとに分類した画像を、アルバムの見開きページのそれぞれにレイアウトし、
前記境界位置格納部は、見開きページにおける右ページと左ページとのページ境界線の位置を格納し、
前記境界判断部は、前記画像レイアウト部が見開きページにレイアウトした画像における主要なオブジェクトが、前記境界位置格納部が格納しているページ境界線に重なっているか否かを判断し、
前記主要オブジェクト移動部は、前記境界判断部がページ境界線に主要なオブジェクトが重なっていると判断した場合に、主要なオブジェクトがページ境界線に重ならないように、見開きページに対する主要なオブジェクトの位置を移動させる
請求項１に記載のアルバム作成装置。
【請求項３】
前記画像レイアウト部は、複数の画像を、アルバムの表表紙、背表紙、および裏表紙を含む表紙にレイアウトし、
前記境界位置格納部は、アルバムの表紙の折り目の位置を格納し、
前記境界判断部は、前記画像レイアウト部が表紙にレイアウトした画像における主要なオブジェクトが、前記境界位置格納部が格納している表紙の折り目の位置に重なっているか否かを判断し、
前記主要オブジェクト移動部は、前記境界判断部が表紙の折り目の位置に主要なオブジェクトが重なっていると判断した場合に、主要なオブジェクトが表紙の折り目の位置に重ならないように、表紙に対する主要なオブジェクトの位置を移動させる
請求項１に記載のアルバム作成装置。
【請求項４】
表表紙、背表紙、および裏表紙の少なくとも一つを含むアルバムの表紙に配置される文字列情報がレイアウトされるタイトル枠の位置をタイトル枠位置情報として格納するタイトル枠位置情報格納部
をさらに備え、
前記画像レイアウト部は、複数の画像をアルバムの表紙にレイアウトし、
前記境界判断部は、前記画像レイアウト部が表紙にレイアウトした画像における主要なオブジェクトが、前記タイトル枠位置情報格納部が格納しているタイトル枠の位置に重なっているか否かを判断し、
前記主要オブジェクト移動部は、前記境界判断部がタイトル枠の位置に主要なオブジェクトが重なっていると判断した場合に、主要なオブジェクトがタイトル枠の位置に重ならないように、表紙に対する主要なオブジェクトの位置を移動させる
請求項１に記載のアルバム作成装置。
【請求項５】
前記タイトル枠位置情報格納部は、アルバムの背表紙に配置される文字列情報がレイアウトされるタイトル枠の位置をタイトル枠位置情報として格納し、
前記画像レイアウト部は、複数の画像をアルバムの背表紙にレイアウトし、
前記境界判断部は、前記画像レイアウト部が背表紙にレイアウトした画像における主要なオブジェクトが、前記タイトル枠位置情報格納部が格納しているタイトル枠の位置に重なっているか否かを判断し、
前記主要オブジェクト移動部は、前記境界判断部がタイトル枠の位置に主要なオブジェクトが重なっていると判断した場合に、主要なオブジェクトがタイトル枠の位置に重ならないように、背表紙に対する主要なオブジェクトの位置を移動させる
請求項４に記載のアルバム作成装置。
【請求項６】
前記主要オブジェクト移動部は、前記境界判断部がページの折り目に主要なオブジェクトが重なっていると判断した画像を折り目ページに対して移動させることによって、主要なオブジェクトがページの折り目に重ならないように、折り目ページに対する主要なオブジェクトの位置を移動させる
請求項１に記載のアルバム作成装置。
【請求項７】
前記主要オブジェクト移動部は、前記境界判断部がページの折り目に主要なオブジェクトが重なっていると判断した画像に対して、前記境界判断部がページの折り目に重なっていると判断した主要なオブジェクトを移動させることによって、主要なオブジェクトがページの折り目に重ならないように、折り目ページに対する主要なオブジェクトの位置を移動させる
請求項１に記載のアルバム作成装置。
【請求項８】
前記画像レイアウト部がレイアウトした画像に含まれるオブジェクトを抽出するオブジェクト抽出部と、
前記オブジェクト抽出部が抽出したオブジェクトの種類を特定するオブジェクト種類特定部と、
前記オブジェクト種類特定部が特定したオブジェクトの種類が人物であるオブジェクトを主要なオブジェクトと決定する主要オブジェクト決定部と
をさらに備える請求項１に記載のアルバム作成装置。
【請求項９】
前記主要オブジェクト移動部は、前記境界判断部がページの折り目に重なっていると判断した主要なオブジェクトが人物であると判断された場合に、人物の顔がページの折り目に重ならないように、折り目ページに対する人物の位置を移動させる
請求項１に記載のアルバム作成装置。
【請求項１０】
複数の画像をアルバムのページのそれぞれにレイアウトする画像レイアウト段階と、
折り目を含むページである折り目ページにおけるページの折り目の位置を格納している境界位置格納部を参照する境界位置参照段階と、
前記画像レイアウト段階において折り目ページにレイアウトされた画像における主要なオブジェクトが、前記境界位置参照段階において参照されたページの折り目に重なっているか否かを判断する境界判断段階と、
前記境界判断段階においてページの折り目に主要なオブジェクトが重なっていると判断された場合に、主要なオブジェクトがページの折り目に重ならないように、折り目ページに対する主要なオブジェクトの位置を移動させる主要オブジェクト移動段階と
を備えるアルバム作成方法。
【請求項１１】
アルバムを作成するアルバム作成装置用のアルバム作成プログラムであって、前記アルバム作成装置を、
複数の画像をアルバムのページのそれぞれにレイアウトする画像レイアウト部、
折り目を含むページである折り目ページにおけるページの折り目の位置を格納する境界位置格納部、
前記画像レイアウト部が折り目ページにレイアウトした画像における主要なオブジェクトが、前記境界位置格納部が格納しているページの折り目に重なっているか否かを判断する境界判断部、
前記境界判断部がページの折り目に主要なオブジェクトが重なっていると判断した場合に、主要なオブジェクトがページの折り目に重ならないように、折り目ページに対する主要なオブジェクトの位置を移動させる主要オブジェクト移動部
として機能させるアルバム作成プログラム。
【請求項１２】
予め生成されたアルバムのテンプレートに複数の画像をレイアウトする画像レイアウト部と、
アルバムのテンプレートに配置されているテンプレート画像の、アルバムのテンプレートにおける位置を格納するテンプレート画像位置格納部と、
前記画像レイアウト部がアルバムのテンプレートにレイアウトした画像における主要なオブジェクトが、前記テンプレート画像位置格納部が格納しているテンプレート画像の位置に重なっているか否かを判断する重なり判断部と、
前記重なり判断部がテンプレート画像の位置に主要なオブジェクトが重なっていると判断した場合に、主要なオブジェクトがテンプレート画像に重ならないように、アルバムのページに対する主要なオブジェクトの位置を移動させる主要オブジェクト移動部と
を備えるアルバム作成装置。
【請求項１３】
前記主要オブジェクト移動部は、前記重なり判断部が前記テンプレート画像位置格納部が格納しているテンプレート画像の位置に主要なオブジェクトが重なっていると判断した画像を、テンプレート画像に対して移動させることによって、主要なオブジェクトがテンプレート画像に重ならないように、テンプレート画像に対する主要なオブジェクトの位置を移動させる
請求項１２に記載のアルバム作成装置。
【請求項１４】
前記主要オブジェクト移動部は、前記重なり判断部が前記テンプレート画像位置格納部が格納しているテンプレート画像の位置に主要なオブジェクトが重なっていると判断した画像に対して、前記重なり判断部がテンプレート画像の位置に重なっていると判断した主要なオブジェクトを移動させることによって、主要なオブジェクトがテンプレート画像に重ならないように、テンプレート画像に対する主要なオブジェクトの位置を移動させる
請求項１２に記載のアルバム作成装置。
【請求項１５】
予め生成されたアルバムのテンプレートに複数の画像をレイアウトする画像レイアウト段階と、
アルバムのテンプレートに配置されているテンプレート画像の、アルバムのテンプレートにおける位置を格納しているテンプレート画像位置格納部を参照するテンプレート画像位置参照段階と、
前記画像レイアウト段階においてアルバムのテンプレートにレイアウトされた画像における主要なオブジェクトが、前記テンプレート画像位置参照段階において参照されたテンプレート画像の位置に重なっているか否かを判断する重なり判断段階と、
前記重なり判断段階においてテンプレート画像の位置に主要なオブジェクトが重なっていると判断された場合に、主要なオブジェクトがテンプレート画像に重ならないように、アルバムのページに対する主要なオブジェクトの位置を移動させる主要オブジェクト移動段階と
を備えるアルバム作成方法。
【請求項１６】
アルバムを作成するアルバム作成装置用のアルバム作成プログラムであって、前記アルバム作成装置を、
予め生成されたアルバムのテンプレートに複数の画像をレイアウトする画像レイアウト部、
アルバムのテンプレートに配置されているテンプレート画像の、アルバムのテンプレートにおける位置を格納するテンプレート画像位置格納部、
前記画像レイアウト部がアルバムのテンプレートにレイアウトした画像における主要なオブジェクトが、前記テンプレート画像位置格納部が格納しているテンプレート画像の位置に重なっているか否かを判断する重なり判断部、
前記重なり判断部がテンプレート画像の位置に主要なオブジェクトが重なっていると判断した場合に、主要なオブジェクトがテンプレート画像に重ならないように、アルバムのページに対する主要なオブジェクトの位置を移動させる主要オブジェクト移動部
として機能させるアルバム作成プログラム。
【請求項１７】
画像が配置されるべきレイアウト枠が予め配置されたページテンプレートを有するアルバムテンプレートに、画像をレイアウトしてアルバムを作成するアルバム作成装置であって、
折り目を含むページのページテンプレートに予め配置されたレイアウト枠に対する、当該ページテンプレートが含む折り目の位置を格納する折り目位置格納部と、
画像における、当該画像の主要なオブジェクトの領域を判断する主要オブジェクト領域判断部と、
前記折り目位置格納部が格納しているレイアウト枠に対する折り目の位置と、前記主要オブジェクト領域判断部が判断した画像における主要なオブジェクトの領域とを画像ごとに比較して、前記レイアウト枠に前記画像を配置した場合に、ページテンプレートの折り目と画像の主要なオブジェクトとが重なるか否かを判断する画像比較部と、
前記画像比較部の判断結果に基づいて、前記レイアウト枠に前記画像を配置した場合に、ページテンプレートの折り目と画像の主要なオブジェクトとが重ならない画像を選択する画像選択部と、
前記画像選択部が選択した画像を、前記レイアウト枠にレイアウトする画像レイアウト部と
を備えるアルバム作成装置。
【請求項１８】
画像が配置されるべきレイアウト枠が予め配置されたページテンプレートを有するアルバムテンプレートに、画像をレイアウトしてアルバムを作成するアルバム作成方法であって、
折り目を含むページのページテンプレートに予め配置されたレイアウト枠に対する、当該ページテンプレートが含む折り目の位置を格納している折り目位置格納部を参照する折り目位置参照段階と、
画像における、当該画像の主要なオブジェクトの領域を判断する主要オブジェクト領域判断段階と、
前記折り目位置参照段階において参照されたレイアウト枠に対する折り目の位置と、前記主要オブジェクト領域判断段階において判断された画像における主要なオブジェクトの領域とを画像ごとに比較して、前記レイアウト枠に前記画像を配置した場合に、ページテンプレートの折り目と画像の主要なオブジェクトとが重なるか否かを判断する画像比較段階と、
前記画像比較段階における判断結果に基づいて、前記レイアウト枠に前記画像を配置した場合に、ページテンプレートの折り目と画像の主要なオブジェクトとが重ならない画像を選択する画像選択段階と、
前記画像選択段階において選択された画像を、前記レイアウト枠にレイアウトする画像レイアウト段階と
を備えるアルバム作成方法。
【請求項１９】
画像が配置されるべきレイアウト枠が予め配置されたページテンプレートを有するアルバムテンプレートに、画像をレイアウトしてアルバムを作成するアルバム作成装置用のアルバム作成プログラムであって、前記アルバム作成装置を、
折り目を含むページのページテンプレートに予め配置されたレイアウト枠に対する、当該ページテンプレートが含む折り目の位置を格納する折り目位置格納部、
画像における、当該画像の主要なオブジェクトの領域を判断する主要オブジェクト領域判断部、
前記折り目位置格納部が格納しているレイアウト枠に対する折り目の位置と、前記主要オブジェクト領域判断部が判断した画像における主要なオブジェクトの領域とを画像ごとに比較して、前記レイアウト枠に前記画像を配置した場合に、ページテンプレートの折り目と画像の主要なオブジェクトとが重なるか否かを判断する画像比較部、
前記画像比較部の判断結果に基づいて、前記レイアウト枠に前記画像を配置した場合に、ページテンプレートの折り目と画像の主要なオブジェクトとが重ならない画像を選択する画像選択部、
前記画像選択部が選択した画像を、前記レイアウト枠にレイアウトする画像レイアウト部
として機能させるアルバム作成プログラム。
【請求項２０】
画像が配置されるべきレイアウト枠が予め配置されたページテンプレートを有するアルバムテンプレートに、画像をレイアウトしてアルバムを作成するアルバム作成装置であって、
テンプレート画像を含むページのページテンプレートに予め配置されたレイアウト枠に対する、当該ページテンプレートが含むテンプレート画像の位置を格納するテンプレート画像位置格納部と、
画像における、当該画像の主要なオブジェクトの領域を判断する主要オブジェクト領域判断部と、
前記テンプレート画像位置格納部が格納しているレイアウト枠に対するテンプレート画像の位置と、前記主要オブジェクト領域判断部が判断した画像における主要なオブジェクトの領域とを画像ごとに比較して、前記レイアウト枠に前記画像を配置した場合に、ページテンプレートのテンプレート画像と画像の主要なオブジェクトとが重なるか否かを判断する画像比較部と、
前記画像比較部の判断結果に基づいて、前記レイアウト枠に前記画像を配置した場合に、ページテンプレートのテンプレート画像と画像の主要なオブジェクトとが重ならない画像を選択する画像選択部と、
前記画像選択部が選択した画像を、前記レイアウト枠にレイアウトする画像レイアウト部と
を備えるアルバム作成装置。
【請求項２１】
画像が配置されるべきレイアウト枠が予め配置されたページテンプレートを有するアルバムテンプレートに、画像をレイアウトしてアルバムを作成するアルバム作成方法であって、
テンプレート画像を含むページのページテンプレートに予め配置されたレイアウト枠に対する、当該ページテンプレートが含むテンプレート画像の位置を格納しているテンプレート画像位置格納部を参照するテンプレート画像位置参照段階と、
画像における、当該画像の主要なオブジェクトの領域を判断する主要オブジェクト領域判断段階と、
前記テンプレート画像位置参照段階において参照されたレイアウト枠に対するテンプレート画像の位置と、前記主要オブジェクト領域判断段階において判断された画像における主要なオブジェクトの領域とを画像ごとに比較して、前記レイアウト枠に前記画像を配置した場合に、ページテンプレートのテンプレート画像と画像の主要なオブジェクトとが重なるか否かを判断する画像比較段階と、
前記画像比較段階における判断結果に基づいて、前記レイアウト枠に前記画像を配置した場合に、ページテンプレートのテンプレート画像と画像の主要なオブジェクトとが重ならない画像を選択する画像選択段階と、
前記画像選択段階において選択された画像を、前記レイアウト枠にレイアウトする画像レイアウト段階と
を備えるアルバム作成方法。
【請求項２２】
画像が配置されるべきレイアウト枠が予め配置されたページテンプレートを有するアルバムテンプレートに、画像をレイアウトしてアルバムを作成するアルバム作成装置用のアルバム作成プログラムであって、前記アルバム作成装置を、
テンプレート画像を含むページのページテンプレートに予め配置されたレイアウト枠に対する、当該ページテンプレートが含むテンプレート画像の位置を格納するテンプレート画像位置格納部、
画像における、当該画像の主要なオブジェクトの領域を判断する主要オブジェクト領域判断部、
前記テンプレート画像位置格納部が格納しているレイアウト枠に対するテンプレート画像の位置と、前記主要オブジェクト領域判断部が判断した画像における主要なオブジェクトの領域とを画像ごとに比較して、前記レイアウト枠に前記画像を配置した場合に、ページテンプレートのテンプレート画像と画像の主要なオブジェクトとが重なるか否かを判断する画像比較部、
前記画像比較部の判断結果に基づいて、前記レイアウト枠に前記画像を配置した場合に、ページテンプレートのテンプレート画像と画像の主要なオブジェクトとが重ならない画像を選択する画像選択部、
前記画像選択部が選択した画像を、前記レイアウト枠にレイアウトする画像レイアウト部
として機能させるアルバム作成プログラム。
【発明の詳細な説明】
【技術分野】
【０００１】
本発明は、アルバム作成装置、アルバム作成方法、およびアルバム作成プログラムに関する。特に、本発明は、ページ境界線に主要オブジェクトが重ならないアルバムを作成するアルバム作成装置、アルバム作成方法、およびアルバム作成プログラムに関する。
【背景技術】
【０００２】
原稿ごとに画像領域の副走査方向の長さを検出した後に、検出された長さに基づいて、各原稿における画像領域の副走査方向の長さが一定になるように変倍する。そして、長尺紙における各画像領域の境界に仕切り線の画像を形成する。これにより、複数ページの原稿を長尺紙に記録してページごとに折り畳む場合に、折り目、すなわちページ境界線が文字部等の画像部分に重なることを防止する方法が提案されている。
【特許文献１】特開平０９−０８０９７６号公報
【発明の開示】
【発明が解決しようとする課題】
【０００３】
しかしながら、特許文献１に記載されている発明は、ロール紙等の長尺紙に対してしか用いることができないので、見開きページに画像が印刷されるアルバム作成に用いることはできない。また、ページ境界線に重なっても問題のない画像までもページ境界線に重ならないように処理されるので、アルバム作成におけるレイアウトの自由度が制限されるという問題がある。
【０００４】
そこで本発明は、上記課題を解決することができるアルバム作成装置、アルバム作成方法、およびアルバム作成プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、アルバム作成装置であって、複数の画像をアルバムのページのそれぞれにレイアウトする画像レイアウト部と、折り目を含むページである折り目ページにおけるページの折り目の位置を格納する境界位置格納部と、画像レイアウト部が折り目ページにレイアウトした画像における主要なオブジェクトが、境界位置格納部が格納しているページの折り目の位置に重なっているか否かを判断する境界判断部と、境界判断部がページの折り目に主要なオブジェクトが重なっていると判断した場合に、主要なオブジェクトがページの折り目に重ならないように、折り目ページに対する主要なオブジェクトの位置を移動させる主要オブジェクト移動部とを備える。
【０００６】
また、複数の画像を折り目ページである見開きページごとに分類する画像分類部をさらに備え、画像レイアウト部は、画像分類部が見開きページごとに分類した画像を、アルバムの見開きページのそれぞれにレイアウトし、境界位置格納部は、見開きページにおける右ページと左ページとのページ境界線の位置を格納し、境界判断部は、画像レイアウト部が見開きページにレイアウトした画像における主要なオブジェクトが、境界位置格納部が格納しているページ境界線に重なっているか否かを判断し、主要オブジェクト移動部は、境界判断部がページ境界線に主要なオブジェクトが重なっていると判断した場合に、主要なオブジェクトがページ境界線に重ならないように、見開きページに対する主要なオブジェクトの位置を移動させてもよい。
【０００７】
さらに、画像レイアウト部は、複数の画像を、アルバムの表表紙、背表紙、および裏表紙を含む表紙にレイアウトし、境界位置格納部は、アルバムの表紙の折り目の位置を格納し、境界判断部は、画像レイアウト部が表紙にレイアウトした画像における主要なオブジェクトが、境界位置格納部が格納している表紙の折り目の位置に重なっているか否かを判断し、主要オブジェクト移動部は、境界判断部が表紙の折り目の位置に主要なオブジェクトが重なっていると判断した場合に、主要なオブジェクトが表紙の折り目の位置に重ならないように、表紙に対する主要なオブジェクトの位置を移動させてもよい。
【０００８】
また、表表紙、背表紙、および裏表紙の少なくとも一つを含むアルバムの表紙に配置される文字列情報がレイアウトされるタイトル枠の位置をタイトル枠位置情報として格納するタイトル枠位置情報格納部をさらに備え、画像レイアウト部は、複数の画像をアルバムの表紙にレイアウトし、境界判断部は、画像レイアウト部が表紙にレイアウトした画像における主要なオブジェクトが、タイトル枠位置情報格納部が格納しているタイトル枠の位置に重なっているか否かを判断し、主要オブジェクト移動部は、境界判断部がタイトル枠の位置に主要なオブジェクトが重なっていると判断した場合に、主要なオブジェクトがタイトル枠の位置に重ならないように、表紙に対する主要なオブジェクトの位置を移動させてもよい。
【０００９】
そして、タイトル枠位置情報格納部は、アルバムの背表紙に配置される文字列情報がレイアウトされるタイトル枠の位置をタイトル枠位置情報として格納し、画像レイアウト部は、複数の画像をアルバムの背表紙にレイアウトし、境界判断部は、画像レイアウト部が背表紙にレイアウトした画像における主要なオブジェクトが、タイトル枠位置情報格納部が格納しているタイトル枠の位置に重なっているか否かを判断し、主要オブジェクト移動部は、境界判断部がタイトル枠の位置に主要なオブジェクトが重なっていると判断した場合に、主要なオブジェクトがタイトル枠の位置に重ならないように、背表紙に対する主要なオブジェクトの位置を移動させてもよい。
【００１０】
さらに、主要オブジェクト移動部は、境界判断部がページの折り目に主要なオブジェクトが重なっていると判断した画像を折り目ページに対して移動させることによって、主要なオブジェクトがページの折り目に重ならないように、折り目ページに対する主要なオブジェクトの位置を移動させてもよく、主要オブジェクト移動部は、境界判断部がページの折り目に主要なオブジェクトが重なっていると判断した画像に対して、境界判断部がページの折り目に重なっていると判断した主要なオブジェクトを移動させることによって、主要なオブジェクトがページの折り目に重ならないように、折り目ページに対する主要なオブジェクトの位置を移動させてもよい。
【００１１】
また、画像レイアウト部がレイアウトした画像に含まれるオブジェクトを抽出するオブジェクト抽出部と、オブジェクト抽出部が抽出したオブジェクトの種類を特定するオブジェクト種類特定部と、オブジェクト種類特定部が特定したオブジェクトの種類が人物であるオブジェクトを主要なオブジェクトと決定する主要オブジェクト決定部とをさらに備えてもよく、主要オブジェクト移動部は、境界判断部がページの折り目に重なっていると判断した主要なオブジェクトが人物であると判断された場合に、人物の顔がページの折り目に重ならないように、折り目ページに対する人物の位置を移動させてよい。
【００１２】
また、本発明の第２の形態においては、アルバム作成方法であって、複数の画像をアルバムのページのそれぞれにレイアウトする画像レイアウト段階と、折り目を含むページである折り目ページにおけるページの折り目の位置を格納している境界位置格納部を参照する境界位置参照段階と、画像レイアウト段階において折り目ページにレイアウトされた画像における主要なオブジェクトが、境界位置参照段階において参照されたページの折り目に重なっているか否かを判断する境界判断段階と、境界判断段階においてページの折り目に主要なオブジェクトが重なっていると判断された場合に、主要なオブジェクトがページの折り目に重ならないように、折り目ページに対する主要なオブジェクトの位置を移動させる主要オブジェクト移動段階とを備える。
【００１３】
また、本発明の第３の形態においては、アルバムを作成するアルバム作成装置用のアルバム作成プログラムであって、アルバム作成装置を、複数の画像をアルバムのページのそれぞれにレイアウトする画像レイアウト部、折り目を含むページである折り目ページにおけるページの折り目の位置を格納する境界位置格納部、画像レイアウト部が折り目ページにレイアウトした画像における主要なオブジェクトが、境界位置格納部が格納しているページの折り目に重なっているか否かを判断する境界判断部、境界判断部がページの折り目に主要なオブジェクトが重なっていると判断した場合に、主要なオブジェクトがページの折り目に重ならないように、折り目ページに対する主要なオブジェクトの位置を移動させる主要オブジェクト移動部として機能させる。
【００１４】
また、本発明の第４の形態においては、アルバム作成装置であって、予め生成されたアルバムのテンプレートに複数の画像をレイアウトする画像レイアウト部と、アルバムのテンプレートに配置されているテンプレート画像の、アルバムのテンプレートにおける位置を格納するテンプレート画像位置格納部と、画像レイアウト部がアルバムのテンプレートにレイアウトした画像における主要なオブジェクトが、テンプレート画像位置格納部が格納しているテンプレート画像の位置に重なっているか否かを判断する重なり判断部と、重なり判断部がテンプレート画像の位置に主要なオブジェクトが重なっていると判断した場合に、主要なオブジェクトがテンプレート画像に重ならないように、アルバムのページに対する主要なオブジェクトの位置を移動させる主要オブジェクト移動部とを備える。
【００１５】
また、主要オブジェクト移動部は、重なり判断部がテンプレート画像位置格納部が格納しているテンプレート画像の位置に主要なオブジェクトが重なっていると判断した画像を、テンプレート画像に対して移動させることによって、主要なオブジェクトがテンプレート画像に重ならないように、テンプレート画像に対する主要なオブジェクトの位置を移動させてもよい。また、主要オブジェクト移動部は、重なり判断部がテンプレート画像位置格納部が格納しているテンプレート画像の位置に主要なオブジェクトが重なっていると判断した画像に対して、重なり判断部がテンプレート画像の位置に重なっていると判断した主要なオブジェクトを移動させることによって、主要なオブジェクトがテンプレート画像に重ならないように、テンプレート画像に対する主要なオブジェクトの位置を移動させてもよい。
【００１６】
また、本発明の第５の形態においては、アルバム作成方法であって、予め生成されたアルバムのテンプレートに複数の画像をレイアウトする画像レイアウト段階と、アルバムのテンプレートに配置されているテンプレート画像の、アルバムのテンプレートにおける位置を格納しているテンプレート画像位置格納部を参照するテンプレート画像位置参照段階と、画像レイアウト段階においてアルバムのテンプレートにレイアウトされた画像における主要なオブジェクトが、テンプレート画像位置参照段階において参照されたテンプレート画像の位置に重なっているか否かを判断する重なり判断段階と、重なり判断段階においてテンプレート画像の位置に主要なオブジェクトが重なっていると判断された場合に、主要なオブジェクトがテンプレート画像に重ならないように、アルバムのページに対する主要なオブジェクトの位置を移動させる主要オブジェクト移動段階とを備える。
【００１７】
また、本発明の第６の形態においては、アルバムを作成するアルバム作成装置用のアルバム作成プログラムであって、アルバム作成装置を、予め生成されたアルバムのテンプレートに複数の画像をレイアウトする画像レイアウト部、アルバムのテンプレートに配置されているテンプレート画像の、アルバムのテンプレートにおける位置を格納するテンプレート画像位置格納部、画像レイアウト部がアルバムのテンプレートにレイアウトした画像における主要なオブジェクトが、テンプレート画像位置格納部が格納しているテンプレート画像の位置に重なっているか否かを判断する重なり判断部、重なり判断部がテンプレート画像の位置に主要なオブジェクトが重なっていると判断した場合に、主要なオブジェクトがテンプレート画像に重ならないように、アルバムのページに対する主要なオブジェクトの位置を移動させる主要オブジェクト移動部として機能させる。
【００１８】
また、本発明の第７の形態においては、画像が配置されるべきレイアウト枠が予め配置されたページテンプレートを有するアルバムテンプレートに、画像をレイアウトしてアルバムを作成するアルバム作成装置であって、折り目を含むページのページテンプレートに予め配置されたレイアウト枠に対する、当該ページテンプレートが含む折り目の位置を格納する折り目位置格納部と、画像における、当該画像の主要なオブジェクトの領域を判断する主要オブジェクト領域判断部と、折り目位置格納部が格納しているレイアウト枠に対する折り目の位置と、主要オブジェクト領域判断部が判断した画像における主要なオブジェクトの領域とを画像ごとに比較して、レイアウト枠に画像を配置した場合に、ページテンプレートの折り目と画像の主要なオブジェクトとが重なるか否かを判断する画像比較部と、画像比較部の判断結果に基づいて、レイアウト枠に画像を配置した場合に、ページテンプレートの折り目と画像の主要なオブジェクトとが重ならない画像を選択する画像選択部と、画像選択部が選択した画像を、レイアウト枠にレイアウトする画像レイアウト部とを備える。
【００１９】
また、本発明の第８の形態においては、画像が配置されるべきレイアウト枠が予め配置されたページテンプレートを有するアルバムテンプレートに、画像をレイアウトしてアルバムを作成するアルバム作成方法であって、折り目を含むページのページテンプレートに予め配置されたレイアウト枠に対する、当該ページテンプレートが含む折り目の位置を格納している折り目位置格納部を参照する折り目位置参照段階と、画像における、当該画像の主要なオブジェクトの領域を判断する主要オブジェクト領域判断段階と、折り目位置参照段階において参照されたレイアウト枠に対する折り目の位置と、主要オブジェクト領域判断段階において判断された画像における主要なオブジェクトの領域とを画像ごとに比較して、レイアウト枠に画像を配置した場合に、ページテンプレートの折り目と画像の主要なオブジェクトとが重なるか否かを判断する画像比較段階と、画像比較段階における判断結果に基づいて、レイアウト枠に画像を配置した場合に、ページテンプレートの折り目と画像の主要なオブジェクトとが重ならない画像を選択する画像選択段階と、画像選択段階において選択された画像を、レイアウト枠にレイアウトする画像レイアウト段階とを備える。
【００２０】
また、本発明の第９の形態においては、画像が配置されるべきレイアウト枠が予め配置されたページテンプレートを有するアルバムテンプレートに、画像をレイアウトしてアルバムを作成するアルバム作成装置用のアルバム作成プログラムであって、アルバム作成装置を、折り目を含むページのページテンプレートに予め配置されたレイアウト枠に対する、当該ページテンプレートが含む折り目の位置を格納する折り目位置格納部、画像における、当該画像の主要なオブジェクトの領域を判断する主要オブジェクト領域判断部、折り目位置格納部が格納しているレイアウト枠に対する折り目の位置と、主要オブジェクト領域判断部が判断した画像における主要なオブジェクトの領域とを画像ごとに比較して、レイアウト枠に画像を配置した場合に、ページテンプレートの折り目と画像の主要なオブジェクトとが重なるか否かを判断する画像比較部、画像比較部の判断結果に基づいて、レイアウト枠に画像を配置した場合に、ページテンプレートの折り目と画像の主要なオブジェクトとが重ならない画像を選択する画像選択部、画像選択部が選択した画像を、レイアウト枠にレイアウトする画像レイアウト部として機能させる。
【００２１】
また、本発明の第１０の形態においては、画像が配置されるべきレイアウト枠が予め配置されたページテンプレートを有するアルバムテンプレートに、画像をレイアウトしてアルバムを作成するアルバム作成装置であって、テンプレート画像を含むページのページテンプレートに予め配置されたレイアウト枠に対する、当該ページテンプレートが含むテンプレート画像の位置を格納するテンプレート画像位置格納部と、画像における、当該画像の主要なオブジェクトの領域を判断する主要オブジェクト領域判断部と、テンプレート画像位置格納部が格納しているレイアウト枠に対するテンプレート画像の位置と、主要オブジェクト領域判断部が判断した画像における主要なオブジェクトの領域とを画像ごとに比較して、レイアウト枠に画像を配置した場合に、ページテンプレートのテンプレート画像と画像の主要なオブジェクトとが重なるか否かを判断する画像比較部と、画像比較部の判断結果に基づいて、レイアウト枠に画像を配置した場合に、ページテンプレートのテンプレート画像と画像の主要なオブジェクトとが重ならない画像を選択する画像選択部と、画像選択部が選択した画像を、レイアウト枠にレイアウトする画像レイアウト部とを備える。
【００２２】
また、本発明の第１１の形態においては、画像が配置されるべきレイアウト枠が予め配置されたページテンプレートを有するアルバムテンプレートに、画像をレイアウトしてアルバムを作成するアルバム作成方法であって、テンプレート画像を含むページのページテンプレートに予め配置されたレイアウト枠に対する、当該ページテンプレートが含むテンプレート画像の位置を格納しているテンプレート画像位置格納部を参照するテンプレート画像位置参照段階と、画像における、当該画像の主要なオブジェクトの領域を判断する主要オブジェクト領域判断段階と、テンプレート画像位置参照段階において参照されたレイアウト枠に対するテンプレート画像の位置と、主要オブジェクト領域判断段階において判断された画像における主要なオブジェクトの領域とを画像ごとに比較して、レイアウト枠に画像を配置した場合に、ページテンプレートのテンプレート画像と画像の主要なオブジェクトとが重なるか否かを判断する画像比較段階と、画像比較段階における判断結果に基づいて、レイアウト枠に画像を配置した場合に、ページテンプレートのテンプレート画像と画像の主要なオブジェクトとが重ならない画像を選択する画像選択段階と、画像選択段階において選択された画像を、レイアウト枠にレイアウトする画像レイアウト段階とを備える。
【００２３】
また、本発明の第１２の形態においては、画像が配置されるべきレイアウト枠が予め配置されたページテンプレートを有するアルバムテンプレートに、画像をレイアウトしてアルバムを作成するアルバム作成装置用のアルバム作成プログラムであって、アルバム作成装置を、テンプレート画像を含むページのページテンプレートに予め配置されたレイアウト枠に対する、当該ページテンプレートが含むテンプレート画像の位置を格納するテンプレート画像位置格納部、画像における、当該画像の主要なオブジェクトの領域を判断する主要オブジェクト領域判断部、テンプレート画像位置格納部が格納しているレイアウト枠に対するテンプレート画像の位置と、主要オブジェクト領域判断部が判断した画像における主要なオブジェクトの領域とを画像ごとに比較して、レイアウト枠に画像を配置した場合に、ページテンプレートのテンプレート画像と画像の主要なオブジェクトとが重なるか否かを判断する画像比較部、画像比較部の判断結果に基づいて、レイアウト枠に画像を配置した場合に、ページテンプレートのテンプレート画像と画像の主要なオブジェクトとが重ならない画像を選択する画像選択部、画像選択部が選択した画像を、レイアウト枠にレイアウトする画像レイアウト部として機能させる。
【００２４】
なお、上記の発明の概要は、本発明の必要な特徴の全てを列挙したものではなく、これらの特徴群のサブコンビネーションもまた、発明となりうる。
【発明の効果】
【００２５】
本発明によれば、撮像画像に含まれる主要なオブジェクトがアルバムのページ境界線と重なっていた場合に、見開きページに対する主要なオブジェクトの位置を自動的に移動させて、アルバムを作成することができる。
【発明を実施するための最良の形態】
【００２６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２７】
図１は、本発明の一実施形態に係るアルバム作成装置１００の概要を示す。本実施形態に係るアルバム作成装置１００は、撮像画像に含まれる主要なオブジェクトがアルバムのページ境界線と重なっていた場合に、見開きページに対する主要なオブジェクトの位置を移動させてアルバムを作成することを目的とする。なお、見開きページは折り目を含むページである折り目ページの一例であり、見開きページのページ境界線は、折り目ページにおけるページの折り目の一例である。また、折り目ページには、アルバムのページ、アルバムの折り込みページ、アルバムの表表紙、アルバムの背表紙、およびアルバムの裏表紙が含まれていてよい。
【００２８】
例えば、ユーザ６００は、撮像装置１５０により被写体６１０を撮像する。撮像装置１５０は、撮像画像を格納する。そして、撮像装置１５０は、メモリ、およびインターネット等のネットワークを介して、撮像された撮像画像をアルバム作成装置１００に供給する。アルバム作成装置１００は、受け取った複数の撮像画像を、予め定められた基準に従って分類する。そして、アルバム作成装置１００は、分類された複数の撮像画像から主要なオブジェクトが含まれる画像を選択する。続いて、アルバム作成装置１００は、選択した画像を含む複数の撮像画像を、アルバムの見開きページ２００にレイアウトする。ここで、主要なオブジェクトとは、分類された画像に含まれるオブジェクトの中で、頻繁に登場するオブジェクトであってよい。また、分類された画像に含まれるオブジェクトの中で、より動きのあるオブジェクトを主要なオブジェクトとしてもよい。更には、分類された画像に複数のオブジェクトが含まれている場合には、オブジェクトの種類が人物であるオブジェクトを、主要なオブジェクトとしてもよい。
【００２９】
そして、画像をレイアウトした後のアルバムの見開きページ２００において、アルバムページのページ境界線２０８と撮像画像２０４に含まれる主要なオブジェクトである人物の画像とが重なっていた場合を考える。係る場合において、アルバム作成装置１００は、主要なオブジェクトである人物の画像がページ境界線２０８と重ならないように、見開きページ２００に対する主要なオブジェクトの位置を移動させる。そして、アルバム作成装置１００は、見開きページ２０２を作成する。アルバム作成装置１００は、作成した見開きページ２０２を、プリンタ、ディスプレイ等に出力することにより、アルバム２２０を作成する。
【００３０】
本実施形態に係るアルバム作成装置１００によれば、画像をアルバムのページにレイアウトする場合において、アルバムのページに含まれるページの折り目と画像に含まれる主要なオブジェクトとが重なる場合でも、画像に含まれる主要なオブジェクトの位置を、主要なオブジェクトがページの折り目に重ならない位置に自動的に移動させて、アルバムを作成することができる。これにより、アルバムの観賞者は、観賞を欲する主要オブジェクトをはっきり認識でき、観賞者の満足度を高めることができる。
【００３１】
図２は、本実施形態に係るアルバム作成装置１００の機能構成の一例を示す。アルバム作成装置１００は、画像格納部１０、画像分類部２０、画像レイアウト部３０、オブジェクト抽出部４０、オブジェクト種類特定部４２、主要オブジェクト決定部４４、境界位置格納部５０、タイトル枠位置情報格納部５２、境界判断部６０、主要オブジェクト移動部７０、印刷部８０、および表示部８４を備える。画像格納部１０は、撮像装置１５０から受け取った複数の画像を格納する。画像格納部１０は、画像を一意に識別できる識別子に対応づけて、画像を格納する。また、画像格納部１０は、識別子に対応づけて、画像、画像が撮像された位置、および撮像された時刻を格納してもよい。更に、画像格納部１０は、識別子に対応づけて、画像、画像が撮像されたときの合焦距離、撮像された画像の色相等を格納してもよい。また、画像には、画像に含まれる主要なオブジェクトの画像に対する位置を示す情報が付帯されていてもよく、画像格納部１０は、識別子に対応づけて主要なオブジェクトの画像に対する位置をさらに格納してもよい。画像格納部１０は、複数の画像を画像分類部２０およびオブジェクト抽出部４０へ供給する。
【００３２】
画像分類部２０は、画像格納部１０から受け取った複数の画像を、アルバムのページごとに分類する。また、画像分類部２０は、複数の画像をアルバムにおける見開きページごとに分類してもよい。さらに、画像分類部２０は、主要オブジェクト決定部４４から、複数の撮像画像ごとに決定された主要なオブジェクトを受け取ってもよい。そして、例えば、画像分類部２０は、撮像画像が撮像された位置、撮像時刻等に基づいて複数の画像を分類してよい。また、主要オブジェクト決定部４４において決定された主要なオブジェクトに基づいて、複数の撮像画像を分類してもよい。なお、撮像画像は画像の一例である。
【００３３】
ここで、画像分類部２０は、複数の見開きページごとにテーマを設定して、各テーマに沿うように複数の画像を分類してよい。テーマは、アルバム観賞者にとって、関心の高い内容であってよい。テーマは、例えば、旅行、運動会、ペット等であってよい。すなわち、テーマが旅行の場合には、画像分類部２０は、ユーザが旅行先で撮像した複数の画像を場所ごとに分類する。また、テーマが運動会の場合には、画像分類部２０は、複数の画像の中から運動会に関連する画像を抽出して、競技ごと、または人ごと等に分類する。さらに、テーマは、ペットに関するテーマ、特定のオブジェクトに関するテーマ等であってよい。いずれの場合であっても、見開きページのテーマは、撮像画像に含まれる主要なオブジェクトの種類に基づいて決定してよい。画像分類部２０は、分類された複数の画像を、画像レイアウト部３０へ供給する。
【００３４】
画像レイアウト部３０は、複数の画像をアルバムのページのそれぞれにレイアウトする。具体的には、画像レイアウト部３０は、複数の画像を、折り目を含むページである折り目ページにレイアウトする。また、画像レイアウト部３０は、画像分類部２０から受け取った、分類された複数の画像を、アルバムの見開きページのそれぞれにレイアウトする。画像レイアウト部３０は、分類された画像をアルバムの見開きページにレイアウトする場合において、画像が配置されるべきレイアウト枠が予め配置されたページテンプレートに画像をレイアウトしてもよい。この場合、当該ページテンプレートには、主要なオブジェクトを含む画像がレイアウトされるべきレイアウト枠が、予め定められていてもよい。また、画像レイアウト部３０は、複数の画像を、アルバムの表表紙、背表紙、および裏表紙を含む表紙にレイアウトしてもよい。例えば、画像レイアウト部３０は、アルバムの背表紙に画像をレイアウトしてよい。さらに、画像レイアウト部３０は、画像を、ＣＤ−ＲＯＭ、ＤＶＤ等の形状を有するテンプレートにレイアウトしてもよい。画像レイアウト部３０は、アルバムのページにレイアウトされた画像をオブジェクト抽出部４０へ供給する。
【００３５】
オブジェクト抽出部４０は、画像レイアウト部３０から受け取った、アルバムの見開きページにレイアウトされた画像に含まれるオブジェクトの画像を抽出する。オブジェクト抽出部４０は、オブジェクトの画像を、例えば、輪郭抽出処理、色分布分析処理等の画像処理により抽出する。そして、オブジェクト抽出部４０は、抽出されたオブジェクトの画像、およびアルバムの見開きページにレイアウトされた画像を、オブジェクト種類特定部４２へ供給する。オブジェクト種類特定部４２は、オブジェクト抽出部４０から受け取った、抽出されたオブジェクトの種類を特定する。
【００３６】
オブジェクト種類特定部４２は、例えば、オブジェクト抽出部４０から受け取ったオブジェクトの画像と、予めオブジェクト種類特定部４２が有している、人物の体のパターン画像、動植物のパターン画像、自動車等の乗り物のパターン画像、および建物のパターン画像等とのパターンマッチングにより、オブジェクトの種類を特定してよい。また、特定されたオブジェクトが人物である場合には、オブジェクト種類特定部４２は人物の顔領域をさらに特定してよい。人物の顔領域の特定は、人物の顔の輪郭形状、眼、鼻、口、眉等の顔における特徴的な部位の形状、および各部位の顔の中における位置等に基づいて特定できる。また、オブジェクト種類特定部４２は、肌色抽出等によって人物の顔領域を特定してもよい。オブジェクト種類特定部４２は、特定されたオブジェクトの種類、およびアルバムのページにレイアウトされた画像を、主要オブジェクト決定部４４へ供給する。
【００３７】
主要オブジェクト決定部４４は、オブジェクト種類特定部４２から受け取ったオブジェクトの種類が人物である場合に、当該オブジェクトを主要なオブジェクトと決定する。また、画像分類部２０において分類された複数の撮像画像に含まれるオブジェクトのうち、当該分類された複数の撮像画像の中で予め定められた基準値以上の頻度で撮像されているオブジェクトを、主要なオブジェクトと決定してもよい。これにより、主要オブジェクト決定部４４は、頻繁に撮像されている人物、およびオブジェクトを、主要なオブジェクトとして決定することができる。
【００３８】
また、主要オブジェクト決定部４４は、主要なオブジェクトが、撮像画像の中で占める位置を表す位置情報を算出する。ここで、位置情報は、座標に対応づけて算出してよい。例えば、主要オブジェクト決定部４４は、撮像画像の中における主要なオブジェクトが占める範囲を、座標に対応づけて算出する。主要なオブジェクトが占める範囲は、例えば、撮像画像に対して座標軸を設定して、当該座標軸において主要なオブジェクトが占める範囲の座標として算出してよい。更に、主要オブジェクト決定部４４は、主要なオブジェクトが人物であった場合には、当該人物の顔の位置を、座標に対応づけて算出してもよい。
【００３９】
更には、主要オブジェクト決定部４４は、以下のように主要なオブジェクトを決定してもよい。まず、撮像装置１５０は複数の合焦距離において予備画像を撮像する。そして、主要オブジェクト決定部４４は、撮像装置１５０から複数の予備画像を受け取り、各予備画像の空間周波数成分を算出する。そして、高周波数成分が予め定められたレベルよりも高い予備画像を撮像した合焦距離において撮像された撮像画像に含まれるオブジェクトを、主要オブジェクト決定部４４は、主要なオブジェクトとして決定してもよい。なお、予備画像とは、合焦位置などの撮像条件を決定するために、撮像装置１５０が取得する画像であってよい。例えば、予備画像は、合焦位置ごとに撮像された、解像度が撮像画像よりも低い画像であってよい。主要オブジェクト決定部４４は、主要なオブジェクトとして決定されたオブジェクトを含む画像、主要なオブジェクトの画像に対する位置を示す位置情報、および画像レイアウト部３０においてアルバムのページにレイアウトされた画像を、境界判断部６０、および画像分類部２０へ供給する。
【００４０】
境界位置格納部５０は、折り目ページにおけるページの折り目の位置を格納する。また、境界位置格納部５０は、アルバムの表紙の折り目の位置を格納してもよい。さらに、境界位置格納部５０は、アルバムの見開きページにおける右ページと左ページとのページ境界線の位置を格納する。境界位置格納部５０は、見開きページに座標軸を設定して、ページ境界線の位置を、座標に対応づけて格納してよい。また、境界位置格納部５０は、アルバムの判型の種類に対応づけて、異なるページ境界線の位置を示す座標を格納してよい。なお、見開きページのページ境界線、ページの折り目の折り目線、および表紙の折り目の折り目線等は、ページの折り目の一例である。また、見開きページとは、本型のアルバムの右ページ、および左ページの他、折り込みページにおいて折り目をはさんだ複数のページであってよい。例えば、観音折りでアルバムを作成する場合には、見開きページにおける右ページと左ページとのページ境界線だけではなく、右ページ、および左ページの中心の折り目もページ境界線としてよい。更には、蛇腹折りのページを作成する場合、折込みページをページの間に差し込む場合等には、各ページの折り目を、ページ境界線としてもよい。また、境界位置格納部５０は、画像レイアウト部３０が画像をレイアウトするテンプレートがＣＤ−ＲＯＭ、ＤＶＤ等のテンプレートである場合には、ＣＤ−ＲＯＭ、ＤＶＤ等の穴の位置を格納してもよい。境界位置格納部５０は、ページの折り目の位置を、境界判断部６０の制御に基づいて境界判断部６０へ供給する。
【００４１】
タイトル枠位置情報格納部５２は、表表紙、背表紙、および裏表紙の少なくとも一つを含むアルバムの表紙に配置される文字列情報がレイアウトされるタイトル枠の位置をタイトル枠位置情報として格納する。例えば、タイトル枠位置情報格納部５２は、アルバムの背表紙に配置される文字列情報がレイアウトされるタイトル枠の位置を、タイトル枠位置情報として格納してよい。なお、タイトル枠にレイアウトされる文字列情報は、アルバムのテーマを示す文字列等であってよい。例えば、アルバムのテーマが運動会である場合には、文字列情報は運動会を示す文字列であってよい。また、アルバムのテーマが旅行である場合には、文字列情報は旅行先の地名を含む文字列情報であってよい。タイトル枠位置情報格納部５２は、境界判断部６０の制御に基づいて、タイトル枠位置情報を境界判断部６０に供給する。
【００４２】
境界判断部６０は、画像レイアウト部３０が折り目ページにレイアウトした画像における主要なオブジェクトが、境界位置格納部５０から受け取ったページの折り目の位置に重なっているか否かを判断する。境界判断部６０は、画像レイアウト部３０がアルバムの表紙に画像をレイアウトした場合には、表紙の折り目の位置に画像における主要なオブジェクトが重なっているか否かを判断する。また、境界判断部６０は、画像レイアウト部３０が表紙にレイアウトした画像における主要なオブジェクトが、タイトル枠位置情報格納部から受け取ったタイトル枠の位置に重なっているか否かを判断してもよい。例えば、境界判断部６０は、画像レイアウト部３０が背表紙に画像をレイアウトした場合に、画像に含まれる主要なオブジェクトが、背表紙に配置されているタイトル枠の位置に重なっているか否かを判断してよい。なお、境界判断部６０は、テンプレートがＣＤ−ＲＯＭ、ＤＶＤ等のテンプレートである場合には、主要なオブジェクトがＣＤ−ＲＯＭのテンプレートの穴に重なっているか否かを判断してもよい。境界判断部６０は、画像における主要なオブジェクトがページの折り目の位置に重なっているか否かを示す情報、およびページにレイアウトされた画像等を主要オブジェクト移動部７０に供給する。
【００４３】
また、境界判断部６０は、主要オブジェクト決定部４４から受け取った、画像レイアウト部３０においてページにレイアウトされた画像における主要なオブジェクトが、境界位置格納部５０から受け取ったページ境界線の位置と重なっているか否かを判断してもよい。例えば、境界判断部６０は、ページの座標軸と撮像画像の座標軸とを一致させる。そして、境界判断部６０は、ページ境界線に対応づけられた座標と画像に含まれる主要なオブジェクトが占める範囲に対応づけられた座標とを比較する。そして、境界判断部６０は、主要なオブジェクトが占める範囲がページ境界線と重なる場合には、画像レイアウト部３０においてレイアウトされた画像と共に、主要なオブジェクトがページ境界線と重なる旨を示す情報を、主要オブジェクト移動部７０へ供給する。一方、主要なオブジェクトが占める範囲が、ページ境界線と重ならない場合には、境界判断部６０は、画像レイアウト部３０においてアルバムのページにレイアウトされた画像を、印刷部８０、および表示部８４へ供給する。
【００４４】
主要オブジェクト移動部７０は、境界判断部６０においてページの折り目に主要なオブジェクトが重なっていると判断された場合に、主要なオブジェクトがページの折り目に重ならないように、折り目ページに対する主要なオブジェクトの位置を移動させる。また、画像レイアウト部３０が画像をアルバムの表紙にレイアウトしたときに、表紙の折り目の位置に主要なオブジェクトが重なると境界判断部６０において判断された場合には、主要オブジェクト移動部７０は、主要なオブジェクトが表紙の折り目の位置と重ならないように、表紙に対する主要なオブジェクトの位置を移動させる。また、主要オブジェクト移動部７０は、境界判断部６０がタイトル枠の位置と主要なオブジェクトとが重なっていると判断した場合に、主要なオブジェクトがタイトル枠の位置に重ならないように、表紙に対する主要なオブジェクトの位置を移動させてもよい。例えば、画像レイアウト部３０が画像をアルバムの背表紙にレイアウトしたときに、画像に含まれる主要なオブジェクトの位置が背表紙のタイトル枠の位置に重なると境界判断部６０において判断された場合に、主要オブジェクト移動部７０は、背表紙のタイトル枠に対する主要なオブジェクトの位置を移動させてよい。なお、主要オブジェクト移動部７０が主要なオブジェクトを移動させる方向はタイトル枠から離れる方向であればよく、例えば、タイトル枠の位置を基準として上下左右のいずれの方向であってもよい。
【００４５】
また、主要オブジェクト移動部７０は、境界判断部６０から見開きページのページ境界線と主要なオブジェクトとが重なっている旨の情報を受け取った場合に、主要なオブジェクトとページ境界線とが重ならないように、見開きページに対する主要なオブジェクトの位置を移動させる。例えば、主要オブジェクト移動部７０は、主要なオブジェクトが含まれる画像を、見開きページに対してページ境界線から主要なオブジェクトが離れる方向に移動させることによって、主要なオブジェクトとページ境界線との重なりを回避できる。また、主要オブジェクト移動部７０は、境界判断部６０からページ境界線に主要なオブジェクトが重なっている旨の情報を受け取った場合に、見開きページにおける画像の位置を移動させずに、画像に含まれる主要なオブジェクトの位置を見開きページに対して移動させて、主要なオブジェクトとページ境界線とが重ならないようにしてもよい。
【００４６】
更に、主要オブジェクト移動部７０は、画像に含まれる主要なオブジェクトが占める部分領域をトリミングする。そして、主要オブジェクト移動部７０は、トリミング前の撮像画像がはめ込まれていたレイアウト枠に適合する大きさに、当該トリミングされた部分領域を拡大する。そして、主要オブジェクト移動部７０は、見開きページのレイアウト枠に、当該拡大された部分領域をはめ込んでもよい。また、主要オブジェクト決定部４４において、主要なオブジェクトが人物であると判断され、境界判断部６０において、当該人物の顔がページ境界線に重なっていると判断された場合には、主要オブジェクト移動部７０は、人物の顔がページ境界線に重ならないように、見開きページに対する人物の位置を移動させてもよい。主要オブジェクト移動部７０は、主要なオブジェクトの位置を移動させた後のページを、印刷部８０、および表示部８４へ供給する。
【００４７】
なお、主要オブジェクト移動部７０は、テンプレートがＣＤ−ＲＯＭ、ＤＶＤ等のテンプレートである場合には、画像に含まれる主要なオブジェクトがＣＤ−ＲＯＭ、ＤＶＤ等の穴に重ならないように、主要なオブジェクトの位置を移動させてもよい。具体的には、主要オブジェクト移動部７０は、境界判断部６０においてＣＤ−ＲＯＭのテンプレートの穴の位置に主要なオブジェクトが重なっていると判断された場合に、主要なオブジェクトが当該穴に重ならないように、当該穴に対する主要なオブジェクトの位置を移動させてもよい。
【００４８】
印刷部８０は、主要オブジェクト移動部７０、および境界判断部６０から受け取ったページを印刷してアルバムを作成する。また、印刷部８０は、ＣＤ−ＲＯＭ、ＤＶＤ等の表面にページを印刷してもよい。さらに、モニタ等の表示装置を備える表示部８４に、ページを電子アルバムとして表示してもよい。
【００４９】
本実施形態に係るアルバム作成装置１００によれば、撮像された画像に含まれる人物等の主要なオブジェクトが、アルバムの折り目ページにおけるページの折り目に重なることを自動的に防止できる。これにより、観賞者は、観賞者にとって関心の高い主要なオブジェクトに折り目が重なっていない状態のアルバムを観賞でき、観賞者の満足度を高めることができる。
【００５０】
更に、本実施形態に係るアルバム作成装置１００によれば、主要なオブジェクトとページ境界線とが重なっていない場合には、画像レイアウト部３０がレイアウトしたアルバムを作成できる。これにより、画像のレイアウトについて自由度を確保できるので、鑑賞者が観賞していて飽きることのないアルバムを作成できる。
【００５１】
図３は、本実施形態に係る主要オブジェクト移動部７０における画像の移動方法の一例を示す。主要オブジェクト移動部７０は、境界判断部６０においてページ境界線に主要なオブジェクトが重なっていると判断された画像を、見開きページに対して移動させる。また、主要オブジェクト移動部７０は、見開きページにおいて予め定められているレイアウト枠の位置を、主要なオブジェクトがページ境界線と重ならない位置に移動させて、主要なオブジェクトを含む画像をはめ込んでもよい。更に、主要オブジェクト移動部７０は、主要なオブジェクトがページ境界線と重ならないレイアウトを有するページを改めて選択して、主要なオブジェクトを含む画像をレイアウト枠にはめ込んでもよい。
【００５２】
例えば、見開きページ３００に対して画像３１０に含まれる主要なオブジェクトがページ境界線３０４と重なっていた場合には、主要オブジェクト移動部７０は、画像３１０の見開きページ３００に対する位置を移動させる。そして、主要オブジェクト移動部７０は、見開きページ３０２のように画像３１２を移動させることにより、画像３１２に含まれる主要なオブジェクトがページ境界線３０６と重なることを回避する。
【００５３】
本実施形態に係るアルバム作成装置１００によれば、撮像画像に含まれる主要なオブジェクトが、アルバムのページ境界線に重なっている場合に、当該画像の位置を自動的に移動させることができる。これにより、画像に含まれる主要なオブジェクトがアルバムの折り目に重なることを回避できるので、主要なオブジェクトの見栄えを損なうことを避けることができる。
【００５４】
図４は、本実施形態に係る主要オブジェクト移動部７０における画像の移動方法の一例を示す。主要オブジェクト移動部７０は、境界判断部６０においてページ境界線に主要なオブジェクトが重なっていると判断された画像に対して、境界判断部６０においてページ境界線に重なっていると判断された主要なオブジェクトを移動させる。そして、主要オブジェクト移動部７０は、主要なオブジェクトがページ境界線に重ならないように、見開きページに対する主要なオブジェクトの位置を移動させる。
【００５５】
例えば、見開きページ４００において、画像４１０に含まれる主要なオブジェクトである主要オブジェクト４１４がページ境界線４０４の一部と重なっていた場合を考える。係る場合において、主要オブジェクト移動部７０は、画像４１０を予め定められた範囲に分割して部分領域を設定する。そして、主要オブジェクト移動部７０は、設定された各部分領域について空間周波数を算出する。続いて、主要オブジェクト移動部７０は、空間周波数の高周波成分のレベルが小さい部分領域を選択する。そして、主要オブジェクト移動部７０は、選択された部分領域を所定の方向に引き伸ばす。主要オブジェクト移動部７０が部分領域を引き伸ばす方向は、例えば、部分領域の長手方向、短手方向等であってよい。また、主要オブジェクト移動部７０が部分領域を引き伸ばす量は、主要オブジェクト４１４をページ境界線４０４と重ならない位置にトリミングした場合に、トリミング前の主要オブジェクト４１４が存在していた領域をカバーすることのできる量であってよい。なお、部分領域を引き伸ばす場合には、引き伸ばした方向の画素間に対して最近傍法、線形補間法等を用いて、補間処理を施してもよい。
【００５６】
そして、主要オブジェクト移動部７０は、主要オブジェクト４１４をトリミングして、見開きページ４００のページ境界線４０４に重ならない位置に移動させる。続いて、主要オブジェクト移動部７０は、引き伸ばした部分領域を、トリミング前の主要オブジェクト４１４が存在していた領域に重ね合わせる。これにより、主要オブジェクト４１４を移動させた後の見開きページ４０２において、画像４１２に含まれる主要オブジェクト４１６がページ境界線４０６と重なることを回避できる。
【００５７】
図５は、主要オブジェクト移動部７０における画像の移動方法の一例を示す。主要オブジェクト移動部７０は、画像の主要なオブジェクトが含まれる部分領域をトリミングする。そして、主要オブジェクト移動部７０は、トリミングされた部分領域を拡大して、見開きページのレイアウト枠に当該部分領域をはめ込んでもよい。なお、主要オブジェクト移動部７０がトリミングする領域は、トリミングされた部分領域をレイアウト枠に適合するように拡大した場合に、ページ境界線に主要なオブジェクトが重ならない位置となるように決定してよい。
【００５８】
例えば、見開きページ５００において、画像５１０に含まれる主要なオブジェクトである人物がページ境界線５０４と重なっていた場合には、主要オブジェクト移動部７０は、主要なオブジェクトである人物が含まれる部分領域５１２をトリミングする。続いて、主要オブジェクト移動部７０は、トリミングされた部分領域５１２を、見開きページ５０２に予め設定されている、画像をはめ込むレイアウト枠に適合する大きさに拡大する。そして、主要オブジェクト移動部７０は、拡大された主要なオブジェクトである人物が含まれる部分領域を、見開きページ５０２のレイアウト枠にはめ込む。そして、主要オブジェクト移動部７０は、画像５１４がはめ込まれた見開きページ５０２を作成する。
【００５９】
本実施形態に係るアルバム作成装置１００によれば、撮像画像に含まれる主要なオブジェクトが、アルバムの折り目に重なっている場合に、ページに対して主要なオブジェクトを自動的に移動させることができる。これにより、主要なオブジェクトが折り目によって見にくくなることがなくなるので、観賞者の、主要なオブジェクトを観賞したいという欲求を十分に満たすことができる。
【００６０】
図６は、本実施形態に係る主要オブジェクト移動部７０における画像の移動方法の一例を示す。画像レイアウト部３０が画像をアルバムの背表紙にレイアウトした場合を考える。係る場合においては、画像レイアウト部３０は、アルバムの背表紙のテンプレート７００に画像７２０をレイアウトする。すなわち、画像レイアウト部３０は、テンプレート７００に予め設定されているレイアウト枠に画像７２０をレイアウトする。ここで、アルバムの背表紙のテンプレート７００には、アルバムの背表紙を作成するときにおける折り目７０２および折り目７０４が設定されている。さらに、背表紙のテンプレート７００には、アルバムの題名等を付す領域であるタイトル枠７１０が設定されている。タイトル枠７１０には、アルバムのテーマに応じて所定の文字列情報が配置される。例えば、タイトル枠７１０には「運動会」等の文字列が配置されていてよい。
【００６１】
ここで、画像レイアウト部３０が画像７２０をテンプレート７００にレイアウトすると、境界判断部６０は、タイトル枠位置情報格納部５２が格納しているタイトル枠位置情報が示すタイトル枠の位置と、画像７２０における主要なオブジェクトの画像７２０における位置とから、画像に含まれる主要なオブジェクト７３０がタイトル枠７１０と重なっていると判断する。この状態でアルバムの表紙７５０を作成すると、画像における主要なオブジェクトがタイトル枠７１０と重なった状態のアルバムの表紙７５０が作成され、鑑賞者にとって好ましくない結果となる。従って、係る場合においては、主要オブジェクト移動部７０は、画像７２０における主要なオブジェクト７３０の画像７２０に対する位置を移動させて、画像７２２を生成する。そして、主要オブジェクト移動部７０が画像７２０に対する主要なオブジェクト７３０の位置を移動させることにより、テンプレート７００の折り目７０２、折り目７０４、およびタイトル枠７１０のいずれにも重ならない画像７２２がテンプレート７００に配置されることとなる。これにより、主要なオブジェクト７３０が含まれる画像７２２を、アルバムの表紙７５２に明瞭に表示することができる。
【００６２】
図７は、本実施形態に係るアルバム作成装置１００における処理の流れの一例を示す。まず、アルバム作成装置１００は、撮像装置１５０から受け取った複数の撮像画像を、画像格納部１０に格納する。続いて、複数の撮像画像は、画像格納部１０から画像分類部２０に供給される。そして、画像分類部２０において、撮像位置、撮像時刻、および撮像画像に含まれる主要なオブジェクト等に基づいて、複数の撮像画像がアルバムのページごとに分類される（Ｓ１０００）。そして、画像分類部２０は分類された複数の画像を画像レイアウト部３０へ供給する。続いて、画像レイアウト部３０は、アルバムのページのテンプレートを選択する（Ｓ１０１０）。なお、ページのテンプレートは、アルバムの見開きページ、アルバムの表表紙、アルバムの背表紙、およびアルバムの裏表紙等のテンプレートであってよい。
【００６３】
そして、画像レイアウト部３０は、画像分類部２０から受け取った複数の画像を、テンプレートのレイアウト枠にレイアウトする（Ｓ１０２０）。画像レイアウト部３０は、複数の画像をテンプレートのレイアウト枠にレイアウトしてよい。続いて、画像レイアウト部３０は、アルバムのページにレイアウトされた画像をオブジェクト抽出部４０へ供給する。オブジェクト抽出部４０は、アルバムのページにレイアウトされた画像に含まれるオブジェクトを抽出する（Ｓ１０３０）。そして、オブジェクト抽出部４０において抽出されたオブジェクトは、オブジェクト種類特定部４２へ供給される。オブジェクト種類特定部４２は、オブジェクト抽出部４０から受け取ったオブジェクトの種類を特定する（Ｓ１０４０）。オブジェクト種類特定部４２において特定されたオブジェクトの種類は、主要オブジェクト決定部４４へ供給される。
【００６４】
そして、主要オブジェクト決定部４４は、オブジェクト種類特定部４２から受け取ったオブジェクトが人物である場合には、当該オブジェクトを主要なオブジェクトと決定する（Ｓ１０５０）。また、主要オブジェクト決定部４４は、画像の中における主要なオブジェクトの位置情報を算出する。そして、主要オブジェクト決定部４４は、アルバムのページにレイアウトされた画像、および主要なオブジェクトの画像における位置情報を境界判断部６０へ供給する。境界判断部６０は、アルバムのページの折り目と、主要オブジェクト決定部４４から受け取った主要なオブジェクトとが重なっているか否かを判断する（Ｓ１０６０）。
【００６５】
主要なオブジェクトがページの折り目と重なっていた場合には（Ｓ１０６０：Ｙｅｓ）、境界判断部６０はその旨を示す情報、およびアルバムのページにレイアウトされた画像を主要オブジェクト移動部７０へ供給する。そして、主要オブジェクト移動部７０は、主要なオブジェクトがページの折り目と重ならない位置に、ページに対して主要なオブジェクトの位置を移動させる（Ｓ１０７０）。一方、主要なオブジェクトがページの折り目と重なっていない場合には（Ｓ１０６０：Ｎｏ）、境界判断部６０は、アルバムのページにレイアウトされた画像を印刷部８０へ供給する。また、境界判断部６０は、アルバムのページにレイアウトされた画像を表示部８４へ供給してもよい。
【００６６】
そして、印刷部８０は、境界判断部６０、および主要オブジェクト移動部７０から受け取ったアルバムのページにレイアウトされた画像を印刷して、アルバムを作成する（Ｓ１０８０）。これにより、アルバム作成装置１００は、画像に含まれる主要なオブジェクトがページの折り目に重なっているか否かを自動的に判断して、主要なオブジェクトがページの折り目に重なることを避けることができる。
【００６７】
図８は、本発明の第２の実施形態に係るアルバム作成装置１０２の機能構成の一例を示す。アルバム作成装置１０２は、画像格納部１０、画像分類部２０、画像レイアウト部３０、オブジェクト抽出部４０、オブジェクト種類特定部４２、主要オブジェクト決定部４４、テンプレート画像位置格納部５４、重なり判断部６２、主要オブジェクト移動部７０、印刷部８０、および表示部８４を備える。なお、本実施形態に係るアルバム作成装置１０２が備える部材のうち、図１から図７の上記説明において説明した部材と同一の符号を付した部材は、図１から図７の上記説明における部材と略同一の機能を有するので、詳細な説明は省略する。また、本実施形態に係るアルバム作成装置１０２は、図１から図７の上記説明で説明したアルバム作成装置１００の機能および構成の一部、または全部をさらに備えていてもよい。
【００６８】
まず、画像レイアウト部３０は、画像格納部１０から受け取った複数の画像を、予め生成されたアルバムのテンプレートにレイアウトする。ここで、アルバムのテンプレートには、アルバムのページごとのテンプレートであるページテンプレート、およびアルバムの表紙のテンプレートが含まれていてよい。そして、ページテンプレートおよび表紙のテンプレートには、画像がレイアウトされるレイアウト枠、およびテンプレートに対して予め定められた位置に配置されるテンプレート画像が配置されていてよい。なお、テンプレート画像とは、アルバムのテンプレートに配置されるデザインアイコン、切り抜きオブジェクト配置枠、および文字列が配置されるテキスト枠等であってよい。具体的には、テンプレート画像は、アルバムのテンプレートの所定の位置に配置されて、当該アルバムを観賞したユーザに所定の視覚的効果を与える、予め定められた画像であってよい。例えば、テンプレート画像は、リボン、吹き出し、星、およびその他の幾何学形状を有する画像であってよい。
【００６９】
また、切り抜きオブジェクト配置枠は、画像から抽出したオブジェクトの画像を配置する枠であってよい。例えば、主要オブジェクト決定部４４は、画像格納部１０が格納している画像から、主要なオブジェクトとして決定したオブジェクトを除くオブジェクトを画像から切り抜いて、切り抜き画像を生成してよい。そして、主要オブジェクト決定部４４が生成した切り抜き画像は、画像レイアウト部３０においてテンプレートの切り抜きオブジェクト配置枠にレイアウトされてよい。また、テキスト枠は、アルバムのテンプレートのテーマに適した文字列情報が配置される枠であってよい。すなわち、テキスト枠は、タイトル枠の一例であってよい。画像レイアウト部３０は、画像をレイアウトした後のアルバムのテンプレートを、オブジェクト抽出部４０に供給する。また、画像レイアウト部３０は、画像をレイアウトした後のアルバムのテンプレートを、重なり判断部６２に供給してもよい。
【００７０】
テンプレート画像位置格納部５４は、アルバムのテンプレートに配置されているテンプレート画像の、アルバムのテンプレートにおける位置を格納する。テンプレート画像位置格納部５４は、アルバムのテンプレートに座標軸を設定して、テンプレート画像のテンプレートにおける位置を、座標データとして格納してよい。アルバムのテンプレートに複数のテンプレート画像が配置されている場合には、テンプレート画像位置格納部５４は、複数のテンプレート画像のそれぞれに対応づけて、各テンプレート画像のアルバムのテンプレートにおける位置を格納する。テンプレート画像位置格納部５４は、重なり判断部６２の制御に基づいて、テンプレート画像のテンプレートにおける位置を示す情報を重なり判断部６２に供給する。
【００７１】
重なり判断部６２は、画像レイアウト部３０においてアルバムのテンプレートにレイアウトされた画像における主要なオブジェクトが、テンプレート画像位置格納部５４が格納しているテンプレート画像の位置に重なっているか否かを判断する。具体的には、重なり判断部６２は、アルバムのテンプレートに配置されているテンプレート画像の位置と、レイアウト枠に配置された画像における主要なオブジェクトの位置とを比較する。ここで、画像における主要なオブジェクトの位置は以下のように算出してよい。すなわち、まず、オブジェクト抽出部４０は、画像からオブジェクトを抽出するときに、抽出するオブジェクトの画像における位置を算出する。続いて、オブジェクト種類特定部４２において、オブジェクト抽出部４０が抽出したオブジェクトの種類が特定される。
【００７２】
そして、主要オブジェクト決定部４４がオブジェクト種類特定部４２の特定結果に基づいて主要なオブジェクトを決定したときに、主要オブジェクト決定部４４は、オブジェクト抽出部４０が算出した当該オブジェクトの画像における位置を、主要なオブジェクトの画像における位置としてよい。主要オブジェクト決定部４４は、テンプレートのレイアウト枠にレイアウトされた画像における主要なオブジェクトの位置を、重なり判断部６２に供給する。重なり判断部６２は、テンプレート画像位置格納部５４から取得したテンプレート画像の位置と、主要オブジェクト決定部４４から受け取った主要なオブジェクトの位置とを比較する。そして、重なり判断部６２は、主要なオブジェクトの画像における位置がテンプレート画像の位置に重なっているか否かを判断する。重なり判断部６２は判断結果を、主要オブジェクト移動部７０に供給する。
【００７３】
主要オブジェクト移動部７０は、重なり判断部６２がテンプレート画像の位置に主要なオブジェクトが重なっていると判断した場合に、主要なオブジェクトがテンプレート画像に重ならないように、アルバムのページに対する主要なオブジェクトの位置を移動させる。例えば、主要オブジェクト移動部７０は、主要なオブジェクトがテンプレート画像に重ならないように、テンプレート画像に対する主要なオブジェクトの位置を移動させる。すなわち、主要オブジェクト移動部７０は、テンプレート画像に対して主要なオブジェクトが含まれる画像をテンプレート画像から離れる方向に移動させることによって、主要なオブジェクトがテンプレート画像に重ならないようにしてよい。
【００７４】
また、主要オブジェクト移動部７０は、重なり判断部６２がテンプレート画像の位置に主要なオブジェクトが重なっていると判断した画像に対して、重なり判断部６２がテンプレート画像の位置に重なっていると判断した主要なオブジェクトを移動させてもよい。例えば、主要オブジェクト移動部７０は、画像に含まれる主要なオブジェクトをトリミングすることによって、テンプレート画像に対して主要なオブジェクトを移動させてもよい。これにより、主要オブジェクト移動部７０は、テンプレートに対する画像の位置を移動させずに、画像に含まれる主要なオブジェクトの位置を移動させることによって、テンプレート画像と主要なオブジェクトとが重なることを防止できる。
【００７５】
本実施形態に係るアルバム作成装置１０２によれば、アルバムのテンプレートのレイアウト枠に画像をレイアウトしたときに、テンプレートに配置されているテンプレート画像と画像に含まれる主要なオブジェクトとが重なる場合に、テンプレート画像と主要なオブジェクトとが重ならない位置に主要なオブジェクトを自動的に移動できる。これにより、画像における主要なオブジェクトがテンプレート画像と重なることにより、主要なオブジェクトを観賞することができなくなることを防止できる。
【００７６】
図９は、本実施形態に係る主要オブジェクト移動部７０における画像の移動方法の一例を示す。画像レイアウト部３０がページテンプレート８００に画像８１０をレイアウトした場合に、画像８１０に含まれる主要なオブジェクト８４０がテンプレート画像８３０と重なる場合を考える。まず、重なり判断部６２は、主要オブジェクト決定部４４から、ページテンプレート８００にレイアウトされた画像８１０に含まれる主要なオブジェクト８４０の画像８１０における位置を受け取る。また、重なり判断部６２は、ページテンプレート８００に配置されているテンプレート画像８３０のページテンプレート８００における位置を、テンプレート画像位置格納部５４から取得する。そして、重なり判断部６２は、主要なオブジェクト８４０の位置とテンプレート画像８３０の位置とを比較して、主要なオブジェクト８４０とテンプレート画像８３０とが重なっていると判断する。
【００７７】
主要オブジェクト移動部７０は、重なり判断部６２における結果に応じて、画像８１０に含まれる主要なオブジェクト８４０の位置を、テンプレート画像８３０と重ならない位置に移動させる。例えば、主要オブジェクト移動部７０は、画像８１０のページテンプレート８００における位置を移動させることによって、主要なオブジェクト８４０とテンプレート画像８３０とが重ならないようにしてよい。また、主要オブジェクト移動部７０は、主要なオブジェクト８４０とテンプレート画像８３０とが重ならない位置に主要なオブジェクト８４０をトリミングした画像８１２を生成して、ページテンプレート８００に画像８１２をレイアウトしてもよい。なお、主要オブジェクト移動部７０は、図１から図７の上記説明で説明した主要オブジェクト移動部７０と同様の方法で、主要なオブジェクト８４０をテンプレート画像８３０に対して移動させてよい。
【００７８】
図１０は、本発明の第３の実施形態に係るアルバム作成装置１０４の機能構成の一例を示す。アルバム作成装置１０４は、画像格納部１０、画像レイアウト部３０、画像比較部６４、主要オブジェクト領域判断部６６、画像選択部７５、印刷部８０、表示部８４、およびアルバムテンプレート格納部９０を備える。また、アルバムテンプレート格納部９０は、ページテンプレート格納部９００、折り目位置格納部９１０、レイアウト枠位置格納部９２０、配置位置格納部９３０、およびテンプレート画像位置格納部９４０を有する。なお、本実施形態に係るアルバム作成装置１０４が備える部材のうち、図１から図９の上記説明において説明した部材と同一の符号を付した部材は、図１から図９の上記説明における部材と略同一の機能を有するので、詳細な説明は省略する。また、本実施形態に係るアルバム作成装置１０４は、図１から図７の上記説明で説明したアルバム作成装置１００の機能および構成の一部、または全部をさらに備えてもよい。さらに、本実施形態に係るアルバム作成装置１０４は、図８および図９の上記説明で説明したアルバム作成装置１０２の機能および構成の一部、または全部をさらに備えてもよい。
【００７９】
画像格納部１０は、複数の画像を格納している。画像格納部１０は、主要オブジェクト領域判断部６６および画像選択部７５の制御に基づいて、画像を主要オブジェクト領域判断部６６および画像選択部７５に供給する。主要オブジェクト領域判断部６６は、画像における、当該画像の主要なオブジェクトの領域を判断する。具体的には、まず、主要オブジェクト領域判断部６６は、画像格納部１０が格納している画像に含まれるオブジェクトを抽出する。例えば、主要オブジェクト領域判断部６６は、画像に含まれるオブジェクトを、輪郭抽出処理、色分布分析処理等の画像処理により抽出する。この場合において、主要オブジェクト領域判断部６６は、抽出したオブジェクトの画像における位置を算出する。そして、主要オブジェクト領域判断部６６は、抽出したオブジェクトが主要なオブジェクトか否かを判断する。例えば、主要オブジェクト領域判断部６６は、肌色抽出、人物の顔部品の画像を用いたパターンマッチング等により、抽出したオブジェクトが人物であるか否かを判断してよい。そして、主要オブジェクト領域判断部６６は、抽出したオブジェクトが人物である場合に、当該オブジェクトを主要なオブジェクトと判断してよい。また、主要オブジェクト領域判断部６６は、抽出したオブジェクトの画像における位置が画像の中心から予め定められた範囲にある場合に、抽出したオブジェクトを主要なオブジェクトと判断してもよい。
【００８０】
さらに、主要オブジェクト領域判断部６６は、抽出したオブジェクトの画像に対する大きさである、オブジェクトサイズを算出する。例えば、主要オブジェクト領域判断部６６は、画像に含まれるオブジェクトの所定のエッジから当該オブジェクトの他のエッジまでの距離のうち、最も大きな距離をオブジェクトサイズとして算出してよい。また、オブジェクトが人物の場合には、主要なオブジェクトは当該人物の顔領域であってよい。そして、主要オブジェクト領域判断部６６は、当該顔領域の画像に対する大きさをオブジェクトサイズとして算出してもよい。係る場合においては、オブジェクトサイズは、人物の顔領域の外接円の半径であってよい。そして、主要オブジェクト領域判断部６６は、抽出したオブジェクトのオブジェクトサイズが予め定められた値以上である場合に、抽出したオブジェクトを主要なオブジェクトと判断してもよい。主要オブジェクト領域判断部６６は、画像における主要なオブジェクトの領域、例えば、主要なオブジェクトの画像における位置を示す情報、主要なオブジェクトの画像に対する大きさを示す情報を画像比較部６４に供給する。
【００８１】
アルバムテンプレート格納部９０は、アルバムのテンプレートを格納する。アルバムテンプレート格納部９０が格納するアルバムのテンプレートは、所定のテーマごとに設定されたアルバムのテンプレートであってよい。アルバムテンプレート格納部９０は、アルバムのテーマに対応づけて、アルバムのページであるページのテンプレート、折り目を含むページである折り目ページの折り目の位置、ページのテンプレートに予め配置されているレイアウト枠の位置、レイアウト枠における主要なオブジェクトが配置されるべき位置、およびページのテンプレートに予め配置されているテンプレート画像のページのテンプレートに対する位置等の情報を格納する。具体的には、アルバムテンプレート格納部９０は、ページテンプレート格納部９００、折り目位置格納部９１０、レイアウト枠位置格納部９２０、配置位置格納部９３０、およびテンプレート画像位置格納部９４０を有していてよく、上記種々の情報をそれぞれの格納部に格納してよい。
【００８２】
例えば、ページテンプレート格納部９００は、アルバムのテンプレートに含まれるページのテンプレートであるページテンプレートを格納する。ページテンプレート格納部９００が格納するページテンプレートは、アルバムのページ、見開きページ、および表紙ページのテンプレートであってよい。また、ページテンプレート格納部９００は、ＣＤ−ＲＯＭ、ＤＶＤ等の形状を有したテンプレートを格納していてもよい。折り目位置格納部９１０は、折り目を含むページテンプレートに予め配置されたレイアウト枠に対する、当該ページテンプレートが含む折り目の位置を格納する。ページテンプレートに折り目が複数存在する場合には、折り目位置格納部９１０は、複数の折り目の位置をそれぞれ格納してよい。なお、テンプレートの形状がＣＤ−ＲＯＭ、ＤＶＤ等の形状をしている場合には、折り目位置格納部９１０は、ページテンプレートが含む折り目の位置の代わりに、ＣＤ−ＲＯＭ等において画像を配置できない部分の位置、例えば、ＣＤ−ＲＯＭ、ＤＶＤ等の穴の位置を格納していてもよい。
【００８３】
レイアウト枠位置格納部９２０は、ページテンプレートが含むレイアウト枠のページテンプレートにおける位置を、レイアウト枠位置として格納する。なお、レイアウト枠は、画像格納部１０が格納している画像がレイアウトされる枠、および画像格納部１０が格納している画像から抽出されたオブジェクトがレイアウトされる枠であってよい。また、配置位置格納部９３０は、主要なオブジェクトが存在すべきレイアウト枠における位置を、主要オブジェクト配置位置として格納する。テンプレート画像位置格納部９４０は、テンプレート画像を含むページのページテンプレートに予め配置されたレイアウト枠に対する、当該ページテンプレートが含むテンプレート画像の位置を格納する。アルバムテンプレート格納部９０が有する折り目位置格納部９１０は、画像比較部６４の制御に基づいて、ページテンプレートの折り目の位置を画像比較部６４に供給する。また、テンプレート画像位置格納部９４０は、画像比較部６４の制御に基づいて、テンプレート画像の位置を画像比較部６４に供給する。さらに、アルバムテンプレート格納部９０は、ページテンプレート、レイアウト枠位置、配置位置、およびテンプレート画像位置を画像レイアウト部３０の制御に基づいて、画像レイアウト部３０に供給する。
【００８４】
画像比較部６４は、折り目位置格納部９１０から受け取ったレイアウト枠に対する折り目の位置と、主要オブジェクト領域判断部６６から受け取った画像における主要なオブジェクトの領域とを画像ごとに比較する。そして、画像比較部６４は、レイアウト枠に画像を配置した場合に、ページテンプレートの折り目と画像の主要なオブジェクトとが重なるか否かを判断する。なお、画像比較部６４は、テンプレートの形状がＣＤ−ＲＯＭ等の形状である場合には、ＣＤ−ＲＯＭ等の穴の位置と画像における主要なオブジェクトの領域とが重なるか否かを判断してもよい。また、画像比較部６４は、テンプレート画像位置格納部９４０から受け取ったテンプレート画像の位置と、主要オブジェクト領域判断部６６から受け取った画像における主要なオブジェクトの領域とを画像ごとに比較してよい。そして、画像比較部６４は、レイアウト枠に画像を配置した場合に、テンプレート画像と画像の主要なオブジェクトとが重なるか否かを判断してもよい。画像比較部６４は、判断結果を画像選択部７５に供給する。
【００８５】
画像選択部７５は、画像比較部６４から受け取った判断結果に基づいて、レイアウト枠に画像を配置した場合に、ページテンプレートの折り目と画像の主要なオブジェクトとが重ならない画像を、画像格納部１０から選択する。なお、画像選択部７５は、テンプレートの形状がＣＤ−ＲＯＭ等の形状である場合には、ＣＤ−ＲＯＭ等の穴の位置と画像の主要なオブジェクトとが重ならない画像を選択してもよい。また、画像選択部７５は、画像比較部６４から受け取った判断結果に基づいて、レイアウト枠に画像を配置した場合に、ページテンプレートのテンプレート画像と画像の主要なオブジェクトとが重ならない画像を選択してもよい。画像レイアウト部３０は、画像選択部７５から受け取った画像をページテンプレートのレイアウト枠にレイアウトしてアルバムのページ、または、アルバムの表紙のデータを作成する。画像レイアウト部３０は作成したアルバムのページ、または、アルバムの表紙を印刷部８０、または表示部８４に供給する。
【００８６】
印刷部８０は、画像レイアウト部３０から受け取ったアルバムのページ、または、アルバムの表紙を紙媒体等に印刷してアルバムを作成する。なお、印刷部８０は、ＣＤ−ＲＯＭ等の表面に画像を印刷してもよい。また、表示部８４は、画像レイアウト部３０から受け取ったアルバムのページ、または、アルバムの表紙をモニタ等の表示装置に電子アルバムとして表示する。なお、本実施形態に係るアルバム作成装置１０４は、画像レイアウト部３０において作成されたアルバムのデータを、ＤＶＤ等の記録媒体に記録する出力部をさらに備えていてもよい。
【００８７】
本実施形態に係るアルバム作成装置１０４によれば、アルバムのレイアウト枠に対するページの折り目の位置と画像に含まれる主要なオブジェクトの領域とを比較して、ページの折り目に主要なオブジェクトが重ならない画像を自動的に選択できる。これにより、アルバムを作成するときに、ページのレイアウト枠にページの折り目が重なっている場合でも、自動的にページの折り目に主要なオブジェクトが重ならない画像を選択してレイアウトできるので、主要なオブジェクトがページの折り目によって分断されず、見栄えのよいアルバムを作成できる。
【００８８】
また、本実施形態に係るアルバム作成装置１０４によれば、アルバムのレイアウト枠に対するテンプレート画像の位置と画像に含まれる主要なオブジェクトの領域とを比較して、テンプレート画像に主要なオブジェクトが重ならない画像を自動的に選択できる。これにより、アルバムを作成するときに、ページのレイアウト枠にテンプレート画像が重なっている場合でも、自動的にテンプレート画像に主要なオブジェクトが重ならない画像を選択してレイアウトできるので、主要なオブジェクトがテンプレート画像に重なって観賞することができなくなることを防止できる。
【００８９】
図１１および図１２は、本実施形態に係る画像選択部７５の画像選択方法の一例を示す。図１１に示すページテンプレート１０００には、画像が配置されるレイアウト枠１０２０が予め配置されている。そして、レイアウト枠１０２０内には、レイアウト枠１０２０内において主要なオブジェクトが配置されるべき位置として、主要オブジェクト配置位置１０３０が予め定められている。また、ページテンプレート１０００には、ページの折り目１０１０が設定されている。ここで、主要オブジェクト配置位置１０３０から折り目１０１０までの距離を折り目距離１０４０とする。また、主要オブジェクト配置位置１０３０からレイアウト枠１０２０の端までの距離をレイアウト距離１０５０とする。一方、図１２に示す画像１０６０には、主要なオブジェクト１０６２が含まれる。ここで、主要なオブジェクト１０６２の画像１０６０に対する大きさを、オブジェクトサイズ１０４２とする。また、画像１０６０に対する主要なオブジェクト１０６２の位置から、当該画像１０６０の端までの距離を画像距離１０５２とする。
【００９０】
画像比較部６４は、折り目１０１０の位置と画像１０６０の主要なオブジェクト１０６２の領域とを比較して、レイアウト枠１０２０に画像１０６０をレイアウトした場合に、主要なオブジェクト１０６２が折り目１０１０と重なるか否かを判断する。例えば、画像比較部６４は、折り目距離１０４０をオブジェクトサイズ１０４２で除した値に画像距離１０５２を乗じた値を構図適正評価値として算出してよい。なお、画像比較部６４は、構図適正評価値を算出する構図適正評価値算出部を有していてもよい。そして、画像比較部６４は、算出した構図適正評価値とレイアウト距離１０５０が示す値とを比較する。画像比較部６４は、算出した構図適正評価値が、レイアウト距離１０５０が示す値よりも大きい場合に、画像１０６０をレイアウト枠１０２０にレイアウトしても、主要なオブジェクト１０６２が折り目１０１０と重ならないと判断する。そして、画像比較部６４は、判断結果を画像選択部７５に供給する。画像選択部７５は、画像比較部６４の判断結果に基づいて、画像１０６０をレイアウト枠１０２０にレイアウトすべき画像として選択する。続いて、画像レイアウト部３０は、画像選択部７５が選択した画像１０６０をレイアウト枠１０２０にレイアウトする。
【００９１】
画像比較部６４は、上記説明で説明した比較方法を用いて、画像ごとに画像の主要なオブジェクトが折り目１０１０に重なるか否かを判断する。例えば、図１２に示す画像１０８０においては、画像比較部６４は、主要なオブジェクト１０８２の画像１０８０における位置から求めた画像距離１０５４およびオブジェクトサイズ１０４４と、折り目距離１０４０およびレイアウト距離１０５０とから構図適正評価値を算出する。係る場合においては、画像比較部６４が算出した構図適正評価値は、レイアウト距離１０５０が示す値よりも小さい。従って、画像比較部６４は、画像１０８０に含まれる主要なオブジェクト１０８２が折り目１０１０と重なると判断する。また、図１２に示す画像１０７０の場合は、画像比較部６４は以下のように判断してもよい。例えば、画像１０７０から領域１０７４をトリミングして領域１０７４の大きさを画像１０７０の大きさまで拡大する場合を考える。この場合において、上記と同様にして画像比較部６４は、拡大した画像を用いて構図適正評価値を算出する。そして、算出された構図適正評価値がレイアウト距離１０５０よりも大きい場合には、画像比較部６４は、トリミング後の画像に含まれる主要なオブジェクト１０７２の領域が折り目１０１０と重ならないと判断してもよい。
【００９２】
図１３は、本実施形態に係るアルバム作成装置１００、アルバム作成装置１０２、およびアルバム作成装置１０４のハードウェア構成の一例を示す。本実施形態に係るアルバム作成装置１００、アルバム作成装置１０２、およびアルバム作成装置１０４は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００９３】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００９４】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、アルバム作成装置１００、アルバム作成装置１０２、およびアルバム作成装置１０４内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【００９５】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、アルバム作成装置１００、アルバム作成装置１０２、およびアルバム作成装置１０４が起動時に実行するブート・プログラム、アルバム作成装置１００、アルバム作成装置１０２、およびアルバム作成装置１０４のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００９６】
ＲＡＭ１５２０を介してハードディスクドライブ１５４０に提供されるアルバム作成プログラムは、フレキシブルディスク１５９０、ＣＤ−ＲＯＭ１５９５、またはＩＣカード等の記録媒体に格納されて利用者によって提供される。アルバム作成プログラムは、記録媒体から読み出され、ＲＡＭ１５２０を介してアルバム作成装置１００、アルバム作成装置１０２、およびアルバム作成装置１０４内のハードディスクドライブ１５４０にインストールされ、ＣＰＵ１５０５において実行される。アルバム作成装置１００、アルバム作成装置１０２、およびアルバム作成装置１０４にインストールされて実行されるアルバム作成プログラムは、ＣＰＵ１５０５等に働きかけて、図１から図１２にかけて説明したアルバム作成装置１００、アルバム作成装置１０２、およびアルバム作成装置１０４を、画像格納部１０、画像分類部２０、画像レイアウト部３０、オブジェクト抽出部４０、オブジェクト種類特定部４２、主要オブジェクト決定部４４、境界位置格納部５０、タイトル枠位置情報格納部５２、テンプレート画像位置格納部５４、境界判断部６０、重なり判断部６２、画像比較部６４、主要オブジェクト領域判断部６６、主要オブジェクト移動部７０、画像選択部７５、印刷部８０、表示部８４、アルバムテンプレート格納部９０、ページテンプレート格納部９００、折り目位置格納部９１０、レイアウト枠位置格納部９２０、配置位置格納部９３０、およびテンプレート画像位置格納部９４０として機能させる。
【００９７】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００９８】
【図１】アルバム作成装置１００の概念図である。
【図２】アルバム作成装置１００の機能構成を示すブロック図である。
【図３】主要オブジェクト移動部７０における画像の移動方法を示す図である。
【図４】主要オブジェクト移動部７０における画像の移動方法を示す図である。
【図５】主要オブジェクト移動部７０における画像の移動方法を示す図である。
【図６】主要オブジェクト移動部７０における画像の移動方法を示す図である。
【図７】アルバム作成装置１００の処理の流れを示すフローチャートである。
【図８】アルバム作成装置１０２の機能構成を示すブロック図である。
【図９】主要オブジェクト移動部７０における画像の移動方法を示す図である。
【図１０】アルバム作成装置１０４の機能構成を示すブロック図である。
【図１１】画像選択部７５の画像選択方法を示す図である。
【図１２】画像選択部７５の画像選択方法を示す図である。
【図１３】アルバム作成装置１００、アルバム作成装置１０２、およびアルバム作成装置１０４のハードウェア構成を示すブロック図である。
【符号の説明】
【００９９】
１０  画像格納部
２０  画像分類部
３０  画像レイアウト部
４０  オブジェクト抽出部
４２  オブジェクト種類特定部
４４  主要オブジェクト決定部
５０  境界位置格納部
５２  タイトル枠位置情報格納部
５４  テンプレート画像位置格納部
６０  境界判断部
６２  重なり判断部
６４  画像比較部
６６  主要オブジェクト領域判断部
７０  主要オブジェクト移動部
７５  画像選択部
８０  印刷部
８４  表示部
９０  アルバムテンプレート格納部
１００、１０２、１０４  アルバム作成装置
１５０  撮像装置
２００、２０２  見開きページ
２０４、２０６  画像
２０８、２１０  ページ境界線
２２０  アルバム
３００、３０２  見開きページ
３０４、３０６  ページ境界線
３１０、３１２  画像
４００、４０２  見開きページ
４０４、４０６  ページ境界線
４１０、４１２  画像
４１４、４１６  主要オブジェクト
５００、５０２  見開きページ
５０４、５０６  ページ境界線
５１０、５１４  画像
５１２  部分領域
６００  ユーザ
６１０  被写体
７００  テンプレート
７０２、７０４  折り目
７１０  タイトル枠
７２０、７２２、８１０、８１２  画像
７３０、８４０  主要なオブジェクト
７５０、７５２  アルバムの表紙
８００、１０００  ページテンプレート
８３０  テンプレート画像
９００  ページテンプレート格納部
９１０  折り目位置格納部
９２０  レイアウト枠位置格納部
９３０  配置位置格納部
９４０  テンプレート画像位置格納部
１０１０  折り目
１０２０  レイアウト枠
１０３０  主要オブジェクト配置位置
１０４０  折り目距離
１０４２、１０４４  オブジェクトサイズ
１０５０  レイアウト距離
１０５２、１０５４  画像距離
１０６０、１０７０、１０８０  画像
１０６２、１０７２、１０８２  主要なオブジェクト
１０７４  領域
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2007012030.tif 000003
【図２】
2007012030.tif 000004
【図３】
2007012030.tif 000005
【図４】
2007012030.tif 000006
【図５】
2007012030.tif 000007
【図６】
2007012030.tif 000008
【図７】
2007012030.tif 000009
【図８】
2007012030.tif 000010
【図９】
2007012030.tif 000011
【図１０】
2007012030.tif 000012
【図１１】
2007012030.tif 000013
【図１２】
2007012030.tif 000014
【図１３】
2007012030.tif 000015